【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
記録媒体を載置して搬送方向に沿って搬送させる際、前記記録媒体の搬送情報を生    成する搬送情報生成部を有する搬送機構と、
記録ヘッド駆動回路を有すると共に、前記搬送方向に対し直交方向に複数
のノズルを有する複数の記録ヘッドが前記直交方向に互いに隣接する端部同
士を直線上に配置、又は前記複数の記録ヘッドが互いに隣接する端部同士を
前記搬送方向に所定の距離だけ離間させて配置し、単色のインクを前記複数
のノズルより吐出する少なくとも１つの記録ユニットと、
前記記録媒体の先端を検出する記録媒体先端検出部と、
前記記録媒体の両側端を検出する記録媒体両側端検出部と、
前記搬送機構を制御すると共に、前記搬送情報生成部、前記記録媒体先端
検出部及び前記記録媒体両側端検出部の情報に基づいて前記記録ユニットを制御し、    画像データを前記記録媒体上に画像記録する統括制御部と、
を備えることを特徴とする画像記録装置。
【請求項２】
前記統括制御部は、前記記録ユニットにおける前記複数の記録ヘッドの前
記複数のノズルに対し、前記記録媒体両側端検出部の情報に基づいて前記イ
ンクを吐出するための前記ノズルの選択と前記複数のノズルによるノズル列
の吐出タイミングの制御を可変する可変処理部と、
前記画像データを受信すると共に、少なくとも前記記録媒体先端検出部の情報をト    リガ情報とした前記搬送情報生成部の情報に基づいて前記可変処理部を制御する制御部  と、
を備えることを特徴とする請求項１に記載の画像記録装置。
【請求項３】
前記制御部は、前記単色のインクを吐出する前記記録ユニットにおける前記複数の    記録ヘッド数に対応して設けられた前記記録ヘッド毎の前記ノズル列における前記吐出  タイミングに関する情報をそれぞれ記憶するパラメータ記憶部と、
前記画像データを記憶するプレーンメモリと、
少なくとも前記パラメータ記憶部及び前記プレーンメモリを制御する中央処理装置    と、
を有することを特徴とする請求項２に記載の画像記録装置。
【請求項４】
前記記録ヘッド毎の前記ノズル列における前記吐出タイミングに関する情報は、前    記画像記録装置の設計上の設定値を有することを特徴とする請求項３に記載の画像記録  装置。
【請求項５】
前記可変処理部は、前記単色のインクを吐出する前記記録ユニット数に対応した数    の単色可変処理部を備え、
前記単色可変処理部は、前記搬送方向に対し直交する方向に前記記録媒体上の画像    記録位置を移動する記録位置のＸ方向移動部と、
前記記録ユニットにおける記録ヘッドが前記直交方向に互いに隣接する端部同士を    直線上に配置した第1の配置、又は前記複数の記録ヘッドが互いに隣接する端部同士を    前記搬送方向に所定の距離だけ離間させて配置した第２の配置で配置される少なくと  も１組における第１の記録ヘッドに対する第1の画像データと、第２の記録ヘッドに対  する第２の画像データと、に前記画像データを分配する画像データの分配部と、
前記分配された各画像データを前記搬送情報生成部の情報に基づいて少なくとも記    憶する記録位置のＹ方向移動部と、
を少なくとも有することを特徴とする請求項２に記載の画像記録装置。
【請求項６】
前記記録位置のＸ方向移動部は、記録位置のＸ方向移動回路を有することを特徴と    する請求項５に記載の画像記録装置。
【請求項７】
前記記録位置のＸ方向移動部は、前記単色のインクを吐出する前記記録ユニットに    おける各記録ヘッドの複数ノズルに対し、当該複数ノズル毎にインク吐出の有効、又は  無効の設定を行なうことを特徴とする請求項５に記載の画像記録装置。
【請求項８】
前記画像データの分配部は、画像データの分配処理部と、
前記搬送方向より見た際に、前記記録ユニットの一方の前記記録ヘッドにおける前    記ノズル列と、前記記録ユニットの他方の前記記録ヘッドにおける前記ノズル列と、が  互いに重なる前記一方の前記記録ヘッドの重なりノズルに対して濃度を可変する第１    の濃度可変処理部と、
前記他方の前記記録ヘッドの重なりノズルに対して濃度を可変する第２の濃度可変    処理部と、
を有することを特徴とする請求項５に記載の画像記録装置。
【請求項９】
前記画像データの分配部は、前記第1の配置、又は前記第２の配置で配置される前    記第1の記録ヘッド及び前記第２の記録ヘッドへ前記画像データを分配するための境界    位置を設定すると共に、前記画像データを前記境界位置で前記第１の画像データと、  前記第２の画像データと、にそれぞれ分配することを特徴とする請求項５に記載の画像  記録装置。
【請求項１０】
前記記録位置のＹ方向移動部は、記録位置のＹ方向移動回路と、
前記画像データに対し、前記第１の記録ヘッドが画像記録するための画像データを    生成する第１の非画像記録データ領域マスク処理部と、
前記第１の記録ヘッドの駆動同期信号を生成し、少なくとも前記第１の非画像記録    データ領域マスク処理部に通知する第１の記録ヘッド駆動同期信号生成回路と、
前記画像データに対し、前記第２の記録ヘッドが画像記録するための画像データを    生成する第２の非画像記録データ領域マスク処理部と、
前記第２の記録ヘッドの駆動同期信号を生成し、少なくとも前記第２の非画像記録    データ領域マスク処理部に通知する第２の記録ヘッド駆動同期信号生成回路と、
を少なくとも有することを特徴とする請求項５に記載の画像記録装置。
【請求項１１】
前記記録位置のＹ方向移動部は、前記第１の画像データ及び前記第２の画像デー    タにおける記憶領域において、
第１の記録ヘッドのインク吐出タイミングと、第２の記録ヘッドのインク吐出タイ    ミングとの差に対応する複数の１ライン画像データを記憶可能な記憶領域を有すること  を特徴とする請求項５に記載の画像記録装置。
【請求項１２】
前記記録位置のＹ方向移動部は、それぞれ個別の記憶領域に分配記憶された前記第    １の画像データ及び前記第２の画像データに対し、前記搬送情報生成部の情報に基づい  て前記第２の画像データを前記第２の記録ヘッドのインク吐出タイミングで読み出し    た後、前記第１の記録ヘッドのインク吐出タイミングと、前記第２の記録ヘッドのイン  ク吐出タイミングとの差におけるタイミングが経過した後に前記第１の画像データを読  み出しすることを特徴とする請求項５に記載の画像記録装置。
【請求項１３】
前記第１の記録ヘッドのインク吐出タイミングがα１で、前記第２の記録ヘッドの    インク吐出タイミングがα２の時、前記第１の記録ヘッドのインク吐出タイミングと、  前記第２の記録ヘッドのインク吐出タイミングとの差におけるタイミングΔαは、      Δα＝α２−α１の前記搬送情報生成部におけるエンコーダパルス数であることを特徴  とする請求項１２に記載の画像記録装置。
【請求項１４】
前記記録位置のＹ方向移動部は、前記画像データの分配部が分配した各画像データ    をデータメモリのアドレスをずらしてそれぞれ記憶、又は前記データメモリに記憶され  た各画像データの読み出しタイミングをずらす処理を行うことを特徴とする請求項５    に記載の画像記録装置。
【請求項１５】
前記記録位置のＹ方向移動部は、前記Ｙ方向において、前記記録媒体のサイズを越    える前記画像データのはみ出し部分における画像データに対し、データ領域のマスク処  理行なうことが可能なことを特徴とする請求項５に記載の画像記録装置。
【請求項１６】
前記第１の非画像記録データ領域マスク処理部及び前記第２の非画像記録データ領    域マスク処理部は、前記第１の記録ヘッドにおけるインク吐出タイミングと、前記第２  の記録ヘッドにおけるインク吐出タイミングとの差に対応する複数の１ライン画像      データを記憶可能な記憶領域に対し、それぞれデータ領域のマスク処理を行なうことを  特徴とする請求項１０に記載の画像記録装置。
【請求項１７】
記録媒体を載置してＹ方向に沿って搬送させる際、前記記録媒体の搬送情報を生成    する搬送情報生成部を有する搬送機構と、前記Ｙ方向に対し直交するＸ方向に複数のノ  ズルを有する複数の記録ヘッドが、前記搬送方向に対し直交方向に複数のノズルを有    する複数の記録ヘッドが前記直交方向に互いに隣接する端部同士を直線上に配置した第  1の配置、又は前記複数の記録ヘッドが互いに隣接する端部同士を前記搬送方向に所定  の距離だけ離間させて配置した第２の配置で配置し、単色のインクを前記複数のノズル  より吐出する少なくとも１つの記録ユニットによって、入力された画像データに基づき  前記記録媒体が前記搬送機構で搬送される過程で画像記録が行われる画像記録装置の画  像記録方法であって、
画像記録の開始前に、予め前記複数の記録ヘッドにおける少なくとも第１の記録ヘ    ッドのインク吐出タイミングに関する第１の情報と、第２の記録ヘッドのインク吐出タ  イミングに関する第２の情報とをそれぞれ記憶し、
画像記録の開始により、前記Ｙ方向に搬送される前記記録媒体の先端を検出し、
搬送される記録媒体の前記Ｘ方向における両側端を検出し、
前記両側端の検出結果から、前記第1の配置、又は前記第２の配置で配置される前    記第１の記録ヘッド及び前記第２の記録ヘッドへ前記画像データを分配するための前記  Ｘ方向における境界位置を求め、
前記求められた前記境界位置で前記画像データを第1の画像データと第２の画像デ    ータとに分けて分配記憶し、
前記搬送情報に基づいて、前記第１の情報及び前記第２の情報における互いの前記    吐出タイミングの差に相当するライン画像データ分だけ、前記第1の画像データと前記  第２の画像データとの読み出しを互いにずらして行い、
前記第１の記録ヘッドと前記第２の記録ヘッドとにより前記記録媒体上に画像記録    を行うことを特徴とする画像記録装置の画像記録方法。
【請求項１８】
記録媒体を載置してＹ方向に沿って搬送させる際、前記記録媒体の搬送情報を生成    する搬送情報生成部を有する搬送機構と、前記Ｙ方向に対し直交するＸ方向に複数のノ  ズルを有する複数の記録ヘッドが、前記搬送方向に対し直交方向に複数のノズルを有    する複数の記録ヘッドが前記直交方向に互いに隣接する端部同士を直線上に配置した第  1の配置、又は前記複数の記録ヘッドが互いに隣接する端部同士を前記搬送方向に所定  の距離だけ離間させて配置した第２の配置で配置し、単色のインクを前記複数のノズル  より吐出する少なくとも１つの記録ユニットによって、入力された画像データに基づき  前記記録媒体が前記搬送機構で搬送される過程で画像記録が行われる画像記録装置の画  像記録方法であって、
画像記録の開始前に、予め前記複数の記録ヘッドにおける少なくとも第１の記録ヘ    ッドのインク吐出タイミングに関する第１の情報と、第２の記録ヘッドのインク吐出タ  イミングに関する第２の情報とをそれぞれ記憶し、
画像記録の開始により、前記Ｙ方向に搬送される前記記録媒体の先端を検出し、
搬送される記録媒体の前記Ｘ方向における両側端を検出し、
前記両側端の検出結果から、前記第1の配置、又は前記第２の配置で配置される前    記第1の記録ヘッド及び前記第２の記録ヘッドへ前記画像データを分配するための前記  Ｘ方向における境界位置を求め、
前記第１の情報及び前記第２の情報における互いの前記吐出タイミングの差に相当    する複数のライン画像データ分だけデータ領域を付加して前記画像データを第1の画像  データと第２の画像データとに分けて分配記憶し、
前記搬送情報に基づいて、前記第1の画像データに対し第１の非画像記録データ領    域のマスク処理を行うと共に、前記第２の画像データに対し第２の非画像記録データ領  域のマスク処理を行い、
前記搬送情報に基づいて、前記各非画像記録データ領域のマスク処理後の前記第1    の画像データ及び前記第２の画像データを前記第１の記録ヘッドと前記第２の記録ヘッ  ドとにより前記記録媒体上に画像記録を行うことを特徴とする画像記録装置の画像記    録方法。
【請求項１９】
前記画像記録方法は、前記Ｙ方向から見た際に、前記第１の記録ヘッド及び前記第    ２の記録ヘッドによるノズル同士が互いに重なる前記第１の記録ヘッドの重なりノズル  に対し第１の濃度補正処理を行うと共に前記第２の記録ヘッドの重なりノズルに対      し、第２の濃度補正処理を行う工程をさらに有することを特徴とする請求項１７記載の  画像記録装置の画像記録方法。
【請求項２０】
前記画像記録方法は、前記Ｙ方向から見た際に、前記第１の記録ヘッド及び前記第    ２の記録ヘッドによるノズル同士が互いに重なる前記第１の記録ヘッドの重なりノズル  に対し第１の濃度補正処理を行うと共に前記第２の記録ヘッドの重なりノズルに対し    第２の濃度補正処理を行う工程をさらに有することを特徴とする請求項１８記載の画像  記録装置の画像記録方法。
【請求項２１】
前記記録ヘッド毎の吐出タイミングに関する情報は、前記画像記録装置の設計上の    設定値を有することを特徴とする請求項１７に記載の画像記録装置の画像記録方法。
【請求項２２】
前記記録ヘッド毎の吐出タイミングに関する情報は、前記画像記録装置の設計上の    設定値を有することを特徴とする請求項１８に記載の画像記録装置の画像記録方法。
【手続補正２】
【補正対象書類名】明細書
【補正対象項目名】００４７
【補正方法】変更
【補正の内容】
【００４７】
次に、図３で説明した単色１の可変処理部７−１の動作を図６により詳細に説明する。
図６は、記録媒体２１’上の中心線３１を中心に２点鎖線（架空線）にて略Ｙ字の画像データ３ｂを示すと共に、記録ユニットの搬送経路上流側に記録媒体先端検出部１１を示している。